(57)【要約】【課題】撮影時の周囲温度に応じて、適正なホワイトバランスの調整を行うことができる撮像装置および照明装置を提供する。【解決手段】本発明の撮像装置（１）は、照明装置（１５）と、被写体からの反射光を撮像して画像信号として出力する撮像部（１１）と、前記画像信号に対してホワイトバランスの調整を行うホワイトバランス調整手段（１２）と、前記照明装置の周囲温度を検出する温度検出手段（１８）と、前記温度検出手段により検出された周囲温度に基づいて色温度の補正量を演算する色温度補正量演算手段（１４）と、前記撮像部が前記照明光に照射された被写体を撮像したときの画像信号に対して前記ホワイトバランス調整手段がホワイトバランス調整を行う際の調整量を、前記色温度補正量演算手段により演算された色温度の補正量を用いて補正するホワイトバランス補正手段（１４）と、を備える。【選択図】図１
2010193001.tif 000002
【特許請求の範囲】
【請求項１】
被写体に対して照明光を発光する発光部を有する照明装置と、
被写体からの反射光を撮像して画像信号として出力する撮像部と、
前記画像信号に対してホワイトバランスの調整を行うホワイトバランス調整手段と、
前記照明装置の周囲温度を検出する温度検出手段と、
前記温度検出手段により検出された周囲温度に基づいて色温度の補正量を演算する色温度補正量演算手段と、
前記撮像部が前記照明光に照射された被写体を撮像したときの画像信号に対して前記ホワイトバランス調整手段がホワイトバランス調整を行う際の調整量を、前記色温度補正量演算手段により演算された色温度の補正量を用いて補正するホワイトバランス補正手段と、
を備えることを特徴とする撮像装置。
【請求項２】
請求項１に記載の撮像装置であって、
前記照明装置の劣化度を検出する劣化度検出手段を備え、
前記色温度補正量演算手段は、
前記劣化度検出手段により検出された前記照明装置の劣化度をも考慮して、前記色温度の補正量を演算すること、
を特徴とする撮像装置。
【請求項３】
請求項２に記載の撮像装置であって、
前記劣化度検出手段は、
前記照明装置の劣化度として、前記発光部の発光回数を検出すること、
を特徴とする撮像装置。
【請求項４】
請求項１〜３のいずれか一項に記載の撮像装置であって、
前記色温度補正量演算手段は、
前記撮像部により前記照明光に照射された被写体が撮像される度に、前記温度検出手段により検出された周囲温度に基づいて色温度の補正量を演算すること、
を特徴とする撮像装置。
【請求項５】
請求項１〜３のいずれか一項に記載の撮像装置であって、
前記温度検出手段により検出された前記照明装置の周囲温度を記憶する記憶手段を備え、
前記色温度補正量演算手段は、
予め設定された時間間隔で前記照明装置の周囲温度を前記記憶手段に記憶し、前記撮像部により前記照明光に照射された被写体が撮像されると、前記記憶手段に記憶された周囲温度に基づいて色温度の補正量を演算すること、
を特徴とする撮像装置。
【請求項６】
請求項１〜５のいずれか一項に記載の撮像装置であって、
前記温度検出手段は、
前記照明装置の発光部に供給される電力を蓄えるコンデンサ近傍の周囲温度を検出すること、
を特徴とする撮像装置。
【請求項７】
周囲温度に基づいて演算した色温度の補正量を用いて、撮像により得られた画像信号に対してホワイトバランスの調整を行う際の調整量を補正するホワイトバランス調整機能を備えた撮像装置に装着される照明装置であって、
被写体に対して照明光を発光する発光部と、
前記照明装置の周囲温度を検出する温度検出手段と、
前記温度検出手段により検出された周囲温度に関する情報を、前記調整量の補正のために前記撮像装置に送信する通信部と、
を備えることを特徴とする照明装置。
【請求項８】
請求項７に記載の照明装置であって、
前記温度検出手段により検出された周囲温度に基づいて、色温度の補正量を演算する色温度補正量演算手段を更に備え、
前記通信部は、
前記色温度補正量演算手段により演算された色温度の補正量を、前記周囲温度に関する情報として前記撮像装置に送信すること、
を特徴とする照明装置。
【請求項９】
請求項８に記載の照明装置であって、
前記照明装置の劣化度を検出する劣化度検出手段を備え、
前記色温度補正量演算手段は、
前記劣化度検出手段により検出された前記照明装置の劣化度をも考慮して、前記色温度の補正量を演算すること、
を特徴とする照明装置。
【請求項１０】
請求項９に記載の照明装置であって、
前記劣化度検出手段は、
前記照明装置の劣化度として、前記発光部の発光回数を検出すること、
を特徴とする照明装置。
【発明の詳細な説明】
【技術分野】
【０００１】
本発明は、撮像装置および照明装置に関するものである。
【背景技術】
【０００２】
従来、被写体に対して照明光を発光する照明装置を備えた撮像装置において、照明光の色温度情報に基づいてホワイトバランスを調整するようにしたものが知られている（例えば、特許文献１参照）。
【先行技術文献】
【特許文献】
【０００３】
【特許文献１】特開２００５−９４３６３号公報
【発明の概要】
【発明が解決しようとする課題】
【０００４】
しかしながら、照明装置（特にコンデンサ）には温度特性があり、発光時の周囲温度によって照明光の色温度が変化してしまう。このため、個々の照明の色温度情報に基づいてホワイトバランスを調整しても、撮影した画像のホワイトバランスが適正にならないことがある。
【０００５】
本発明の課題は、撮影時の周囲温度に応じて、適正なホワイトバランスの調整を行うことができる撮像装置および照明装置を提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、被写体に対して照明光を発光する発光部を有する照明装置（１５）と、被写体からの反射光を撮像して画像信号として出力する撮像部（１１）と、前記画像信号に対してホワイトバランスの調整を行うホワイトバランス調整手段（１２）と、前記照明装置の周囲温度を検出する温度検出手段（１８）と、前記温度検出手段により検出された周囲温度に基づいて色温度の補正量を演算する色温度補正量演算手段（１４）と、前記撮像部が前記照明光に照射された被写体を撮像したときの画像信号に対して前記ホワイトバランス調整手段がホワイトバランス調整を行う際の調整量を、前記色温度補正量演算手段により演算された色温度の補正量を用いて補正するホワイトバランス補正手段（１４）と、を備えることを特徴とする撮像装置（１）である。
請求項２に記載の発明は、請求項１に記載の撮像装置（１）であって、前記照明装置（１５）の劣化度を検出する劣化度検出手段（１４）を備え、前記色温度補正量演算手段（１４）は、前記劣化度検出手段により検出された前記照明装置の劣化度をも考慮して、前記色温度の補正量を演算することを特徴とする。
請求項３に記載の発明は、請求項２に記載の撮像装置（１）であって、前記劣化度検出手段（１４）は、前記照明装置（１５）の劣化度として、前記発光部の発光回数を検出することを特徴とする。
請求項４に記載の発明は、請求項１〜３のいずれか一項に記載の撮像装置（１）であって、前記色温度補正量演算手段（１４）は、前記撮像部（１１）により前記照明光に照射された被写体が撮像される度に、前記温度検出手段（１８）により検出された周囲温度に基づいて色温度の補正量を演算することを特徴とする。
請求項５に記載の発明は、請求項１〜３のいずれか一項に記載の撮像装置（１）であって、前記温度検出手段（１８）により検出された前記照明装置（１５）の周囲温度を記憶する記憶手段（１７）を備え、前記色温度補正量演算手段（１４）は、予め設定された時間間隔で前記照明装置の周囲温度を前記記憶手段に記憶し、前記撮像部（１１）により前記照明光に照射された被写体が撮像されると、前記記憶手段に記憶された周囲温度に基づいて色温度の補正量を演算することを特徴とする。
請求項６に記載の発明は、請求項１〜５のいずれか一項に記載の撮像装置（１）であって、前記温度検出手段（１８）は、前記照明装置（１５）の発光部に供給される電力を蓄えるコンデンサ（１９）近傍の周囲温度を検出することを特徴とする。
請求項７に記載の発明は、周囲温度に基づいて演算した色温度の補正量を用いて、撮像により得られた画像信号に対してホワイトバランスの調整を行う際の調整量を補正するホワイトバランス調整機能を備えた撮像装置（４０）に装着される照明装置（３０）であって、被写体に対して照明光を発光する発光部（３１）と、前記照明装置の周囲温度を検出する温度検出手段（３５）と、前記温度検出手段により検出された周囲温度に関する情報を、前記調整量の補正のために前記撮像装置に送信する通信部（３６）と、を備えることを特徴とする照明装置である。
請求項８に記載の発明は、請求項７に記載の照明装置（３０）であって、前記温度検出手段（３５）により検出された周囲温度に基づいて、色温度の補正量を演算する色温度補正量演算手段（３３）を更に備え、前記通信部（３６）は、前記色温度補正量演算手段により演算された色温度の補正量を、前記周囲温度に関する情報として前記撮像装置（４０）に送信することを特徴とする。
請求項９に記載の発明は、請求項８に記載の照明装置（３０）であって、前記照明装置の劣化度を検出する劣化度検出手段（３３）を備え、前記色温度補正量演算手段（３３）は、前記劣化度検出手段により検出された前記照明装置の劣化度をも考慮して、前記色温度の補正量を演算することを特徴とする。
請求項１０に記載の発明は、請求項９に記載の照明装置（３０）であって、前記劣化度検出手段（３３）は、前記照明装置の劣化度として、前記発光部（３１）の発光回数を検出することを特徴とする。
なお、符号を付して説明した構成は、適宜改良してもよく、また、少なくとも一部を他の構成物に代替してもよい。
【発明の効果】
【０００７】
本発明によれば、撮影時の周囲温度に応じて、適正なホワイトバランスの調整を行うことができる撮像装置および照明装置を提供することができる。
【図面の簡単な説明】
【０００８】
【図１】実施形態１に係わるカメラの構成を示すブロック図である。
【図２】照明装置における周囲温度と色温度との関係を示すグラフである。
【図３】照明装置における周囲温度とコンデンサの損失との関係を示すグラフである。
【図４】照明装置における周囲温度とキセノン管に流れる管電流との関係を示すグラフである。
【図５】実施形態１において温度検出部の配置を示す構成図である。
【図６】実施形態１のカメラにおけるホワイトバランス調整の処理手順を示すフローチャートである。
【図７】実施形態２に係わるカメラシステムの構成を示すブロック図である。
【図８】実施形態２のカメラシステムにおけるホワイトバランス調整の処理手順を示すフローチャートである。
【図９】実施形態３における照明装置の発光回数による周囲温度と色温度との関係を示すグラフである。
【発明を実施するための形態】
【０００９】
以下、図面を参照して、本発明に係わる撮像装置および照明装置をデジタルカメラに適用した場合の実施形態について説明する。なお、本実施形態の説明では、被写体に照明光を照射して撮影することをフラッシュ撮影といい、照明光の発光を適宜に閃光または照射という。
（実施形態１）
【００１０】
図１は、実施形態１に係わるカメラ１の構成を示すブロック図である。図示のように、カメラ１は、被写体光が入射する撮像部１１と、撮像部１１から出力された画像信号に各種処理を行う画像データ処理部１２と、処理された画像信号を記録する記録部１３とを備えるデジタルカメラとして構成されている。また、カメラ１は、カメラ内の各部を制御するＭＣＵ１４と、被写体に照明光を照射する照明装置１５と、撮影者が操作を行う操作部１６と、メモリ１７と、を備える。
【００１１】
撮像部１１は、被写体からの反射光を撮像面で撮像し、画像信号に変換するものであり、ＣＣＤやＣＭＯＳ等の撮像素子を備える。
【００１２】
画像データ処理部１２は、撮像部１１から出力された画像信号を増幅し、ホワイトバランス調整、ガンマ補正、輪郭強調、レベル調整等の各種画像処理を行うものである。本実施形態における画像データ処理部１２は、画像信号に対してホワイトバランスの調整を行うホワイトバランス調整手段としての機能を有する。
【００１３】
記録部１３は、画像データ処理部１２で各種の処理が施された画像信号を、図示しないＣＦカード、ＳＤカード等の記録媒体に記録するものである。
【００１４】
操作部１６は、撮影者が各種操作を行うための入力手段であり、撮影開始のレリーズスイッチなどを含む操作部材により構成されている。
【００１５】
メモリ１７は、ユーザ設定などの入力情報、カメラ１の動作や制御に必要なプログラム、このプログラムの実行に必要な初期値や設定値のほか、後述するホワイトバランス調整のためのデータなどが記憶される不揮発性メモリである。また、図示していないが、ＭＣＵ１４などが演算処理を実行する際に必要なデータや画像信号などが一時的に記憶される揮発性メモリを備えている。
【００１６】
ＭＣＵ１４は、カメラ１全体を制御するものであり、撮像部１１、画像データ処理部１２、記録部１３、照明装置１５、操作部１６、メモリ１７および温度検出部１８と接続されている。このＭＣＵ１４では、温度検出部１８により検出された周囲温度に基づいて色温度の補正量を演算する処理を行っている。本実施形態では、撮像部１１により被写体が撮像される度に、色温度の補正量を演算するようにしている。また、ＭＣＵ１４では、撮像部１１が照明光に照射された被写体を撮像したときの画像信号に対して画像データ処理部１２がホワイトバランス調整を行う際の調整量を、前記の色温度の補正量を用いて補正する処理を行っている。
【００１７】
照明装置１５は、被写体の輝度が低い場合に、ＭＣＵ１４の制御により被写体に対して照明光を発光するものである。この照明装置１５は、図示しないコンデンサ、充電制御回路、閃光回路、発光部により構成される。充電制御回路は、閃光に必要なエネルギーをコンデンサに蓄えるための回路である。閃光回路は、コンデンサに蓄えられたエネルギーをキセノン管に放出するための回路である。発光部は、前面のプロテクタ、キセノン管、リフレクタ等を備えている。
【００１８】
フラッシュ撮影では、被写体の輝度に応じて照明光の閃光時間を演算により求めて撮影を行うようにしている。閃光時間の演算は、本発光に先立って短時間（１０μｓ〜２０μｓ）の予備発光を１回以上行い、その予備発光による被写体からの反射光を撮像部１１により撮像する。ＭＣＵ１４は、撮像した結果から、本発光時に必要な照明光の閃光時間を演算により求める。この後、撮像部１１の撮像開始に同期して、演算により求められた照明光の閃光時間により発光部から被写体に向けて照明光を照射する。
【００１９】
ここで、照明光の色温度について説明する。照明装置１５から発光される照明光の色温度は、使用するキセノン管、プロテクタの材質等の種々の要因に影響されるが、キセノン管自体の発光の色温度による影響が最も大きい。一般に、照明光の閃光時におけるホワイトバランスは、常温で照明光を閃光させたときの色温度を測定し決定している。しかしながら、図２に示すように、照明光の閃光時の色温度Ｋは、周囲温度Ｔが高い場合は高く、周囲温度Ｔが低い場合は低くなる特性をもっている。これは、温度の低下によって、充電制御回路のコンデンサの温度特性が変化することに起因する。このような温度の低下によるコンデンサの温度特性として、コンデンサの静電容量の低下のほか、図３に示すように、コンデンサの材料の電気抵抗の増加による損失割合（損失角αの正接）ｔａｎσの増加が挙げられる。このように、周囲温度Ｔの低下に伴ってコンデンサの損失ｔａｎσが増加すると、図４に示すように、キセノン管に流れる管電流Ａが減少することになる。したがって、図２のように、周囲温度Ｔが低くなると、照明光の閃光時の色温度Ｋも低下することになる。
【００２０】
そこで、本実施形態では、撮影した画像に対して画像データ処理部１２でホワイトバランス調整を行う際の調整量を、照明装置１５の周囲温度に基づいて演算した色温度の補正量を用いて補正するようにしている。ここで、周囲温度による色温度の補正量は、実験によりデータを収集し、そのデータを基に照明装置１５の色温度の補正量を求める関係式を作成するか、前記の実験データまたは関係式からテーブルデータを作成してメモリ１７に記憶させればよい。ＭＣＵ１４は、メモリ１７に記憶した周囲温度と、前記の関係式またはテーブルデータとに基づいて色温度の補正量を演算する。
【００２１】
温度検出部１８は、照明装置１５の周囲温度を検出するものであり、サーミスタなどの温度センサにより構成されている。この温度検出部１８で検出された周囲温度は、ＭＣＵ１４へ送られ、メモリ１７に記憶される。本実施形態における温度検出部１８は、図５に示すように、カメラ１の内部であって、コンデンサ１９の近傍に配置されている。これにより、温度検出部１８では、コンデンサ１９の近傍の周囲温度が検出されることになる。
【００２２】
次に、本実施形態におけるホワイトバランス調整について説明する。図６は、カメラ１におけるホワイトバランス調整の処理手順を示すフローチャートである。
【００２３】
まず、カメラ１がフラッシュ撮影モードであり、周囲光が照明光の照射を必要とする輝度の場合に、撮影者により操作部１６のレリーズボタンが押下されると（Ｓ１０１でＹＥＳ）、ＭＣＵ１４は、照明装置１５の本発光に先立ち、照明装置１５に短時間の予備発光を行わせる（Ｓ１０２）。この予備発光は少なくとも１回行われる。そして、予備発光が行われた際の被写体光を撮像部１１で撮像し、ＭＣＵ１４は、撮像した結果から、本発光時に必要な照明光の発光時間を演算により求める（Ｓ１０３）。次に、ＭＣＵ１４は、この演算により求めた発光時間だけ照明装置１５を本発光させるとともに、撮像部１１で被写体光を撮像させる（Ｓ１０４）。
【００２４】
この後、撮像部１１から出力された画像信号は、画像データ処理部１２へ送られて各種の画像処理が行われる。これと並行して、ＭＣＵ１４は、温度検出部１８で検出された照明装置１５の周囲温度を取得して、メモリ１７に記憶する（Ｓ１０５）。そして、ＭＣＵ１４は、温度検出部１８で検出した周囲温度と、先に説明した関係式またはテーブルデータとに基づいて色温度の補正量を演算する（Ｓ１０６）。次に、ＭＣＵ１４は、画像データ処理部１２においてホワイトバランス調整を行う際の調整量を、演算した色温度の補正量を用いて補正する（Ｓ１０７）。これにより、画像データ処理部１２では、補正されたホワイトバランスの調整量に基づいて画像信号のホワイトバランス調整が行われることになる。この画像データ処理部１２での画像処理が終了すると、画像信号は記録部１３により図示しない記録媒体に記録される。
【００２５】
上記実施形態１によると、以下の効果を奏する。
（１）照明装置１５の周囲温度に基づいて色温度の補正量を演算するとともに、この補正量を用いてホワイトバランスの調整量を補正するようにしたので、発光時の周囲温度によって色温度が変化しても、適正なホワイトバランスの調整を行うことができる。
（２）撮像部１１により被写体が撮像される度に、色温度の補正量を演算するようにしているため、周囲温度が急激に変化した場合でも、適切な色温度の補正量を演算することができる。
（３）コンデンサ近傍の周囲温度を検出するようにしているため、発光部などの温度変化に影響されることなしに、より正確な色温度の補正量を演算することができる。
（実施形態２）
【００２６】
図７は、実施形態２に係わるカメラシステム２０の構成を示すブロック図である。本実施形態のカメラシステム２０は、カメラ４０と、このカメラ４０に対して着脱可能な照明装置３０と、を備える。
【００２７】
図示のように、照明装置３０は、内部に図示しないプロテクタ、キセノン管、リフレクタ等を備える発光部３１と、照明装置３０が発光した際の被写体光を受光する受光部３２と、照明装置３０内の各部の制御を行うＭＣＵ３３と、を備える。なお、図示していないが、発光部３１には、コンデンサ、充電制御回路、閃光回路が接続されている。
【００２８】
また、照明装置３０は、メモリ３４を備える。メモリ３４は、後述する温度検出部３５で検出された周囲温度のデータなどが記憶される不揮発性メモリである。また、照明装置３０は、当該装置の周囲温度を検出する温度検出部３５を備える。この温度検出部３５は、実施形態１と同様に、図示しないコンデンサの近傍に配置されている。さらに、照明装置３０は、温度検出部１８で検出された周囲温度をカメラ４０に送信する通信部３６を備える。
【００２９】
一方、カメラ４０は、実施形態１と同様に、被写体からの反射光を撮像して画像信号に変換する撮像部４１と、撮像部４１から出力された画像信号を増幅し、ホワイトバランス調整、ガンマ補正、輪郭強調、レベル調整等の各種画像処理を行う画像データ処理部４２と、画像データ処理部４２で各種の処理が施された画像信号を記録媒体に記録する記録部４３と、カメラ４０全体を制御するＭＣＵ４４と、撮影者が各種操作を行う操作部４５と、メモリ４６と、を備える。さらに、カメラ４０は、照明装置３０から送信される周囲温度を受信する通信部４７を備える。
【００３０】
本実施形態のＭＣＵ４４は、通信部４７で受信した照明装置３０の周囲温度に基づいて色温度の補正量を演算する処理を行っている。本実施形態では、撮像部４１により被写体が撮像される度に、色温度の補正量を演算するようにしている。また、ＭＣＵ４４では、撮像部４１が照明光に照射された被写体を撮像したときの画像信号に対して画像データ処理部４２がホワイトバランス調整を行う際の調整量を、前記の色温度の補正量を用いて補正する処理を行っている。また、メモリ４６は、実施形態１と同様に、ホワイトバランス調整のためのデータなどが記憶される不揮発性メモリである。ＭＣＵ４４は、実施形態１と同様に、メモリ４６に記憶した周囲温度と、前記の関係式またはテーブルデータとに基づいて色温度の補正量を演算する。
【００３１】
次に、本実施形態におけるホワイトバランス調整について説明する。図８は、カメラシステム２０におけるホワイトバランス調整の処理手順を示すフローチャートである。図８において、左側はカメラ４０におけるフローチャートを示し、右側は照明装置３０におけるフローチャートを示している。
【００３２】
まず、カメラ４０がフラッシュ撮影モードであり、周囲光が照明光の照射を必要とする輝度の場合に、撮影者により操作部４５のレリーズボタンが押下されると（Ｓ２０１でＹＥＳ）、ＭＣＵ４４は、レリーズ信号を通信部４７から照明装置３０の通信部３６に送信する（Ｓ２０２）。
【００３３】
照明装置３０のＭＣＵ３３は、カメラ４０からレリーズ信号を受信すると（Ｓ３０１）。本発光に先立ち、発光部３１に短時間の予備発光を行わせる（Ｓ３０２）。この予備発光は少なくとも１回行われる。予備発光が行われた際の被写体光は受光部３２で受光される。ＭＣＵ３３は、受光した結果から、本発光時に必要な照明光の発光時間を演算により求める（Ｓ３０３）。次に、ＭＣＵ３３は、この演算により求めた発光時間だけ発光部３１を本発光させる（Ｓ３０４）。
【００３４】
この本発光と同期して、カメラ４０は撮像部４１において被写体光を撮像させる（Ｓ２０３）。この後、撮像部１１から出力された画像信号は、画像データ処理部１２へ送られて各種の画像処理が行われる。
【００３５】
一方、照明装置３０のＭＣＵ３３は、温度検出部３５で検出された照明装置３０の周囲温度を取得して、メモリ３４に記憶する（Ｓ３０５）。そして、ＭＣＵ３３は、取得した周囲温度を通信部３６からカメラ４０の通信部４７に送信する（Ｓ３０６）。
【００３６】
カメラ４０のＭＣＵ４４は、照明装置３０から周囲温度を受信して、メモリ４６に記憶する（Ｓ２０４）。そして、ＭＣＵ４４は、照明装置３０から受信した周囲温度と、先に説明した関係式またはテーブルデータとに基づいて色温度の補正量を演算する（Ｓ２０５）。そして、ＭＣＵ４４は、画像データ処理部４２においてホワイトバランス調整を行う際の調整量を、演算した色温度の補正量を用いて補正する（Ｓ２０６）。これにより、画像データ処理部４２では、補正されたホワイトバランスの調整量に基づいて画像信号のホワイトバランス調整が行われることになる。この画像データ処理部４２での画像処理が終了すると、画像信号は記録部４３により図示しない記録媒体に記録される。
【００３７】
上記実施形態２によると、以下の効果を奏する。
（１）本実施形態のカメラシステム２０では、照明装置３０で自身の周囲温度が検出され、その周囲温度がカメラ４０に送信される。したがって、照明装置３０が異なるカメラに装着されても、そのカメラは装着された照明装置３０の周囲温度を把握することができる。このためカメラ４０は、送信された周囲温度に基づいて色温度の補正量を演算するとともに、この補正量を用いてホワイトバランスの調整量を補正することができる。この結果、発光時の周囲温度によって色温度が変化しても、適正なホワイトバランスの調整を行うことができる。
（実施形態３）
【００３８】
上記実施形態では、照明装置の周囲温度に基づいて色温度の補正量を演算する例について説明したが、照明装置から発せられる照明光の色温度は、周囲温度だけでなく、コンデンサやキセノン管の劣化によっても変化する。このようなコンデンサやキセノン管の劣化は、発光回数等の要因により生じる。図９は、照明装置の発光回数による周囲温度と色温度との関係を示すグラフである。図９において、グラフＡは発光回数１〜２００回未満、グラフＢは発光回数が２００〜５００回未満、グラフＣは発光回数が５００回以上の場合の特性を示している。図９に示すように、発光回数が多くなるに従って、全体的に色温度は低下していく。そこで、本実施形態では、このような課題を解決するために、照明装置の周囲温度に加えて、発光部の劣化度をも考慮して色温度の補正量を演算するようにしている。以下、実施形態１、２に適用した場合について説明する。
【００３９】
実施形態１に適用する場合は、照明装置１５の色温度の補正量を求める関係式またはテーブルデータを、発光回数毎にメモリ１７に記憶しておく。一方、ＭＣＵ１４では、照明装置１５の発光部で発光が行われる毎に発光回数をカウントする処理を実行し、発光回数をメモリ１７に記憶する。そして、ＭＣＵ１４は、発光回数が所定の回数を越えたときに、その発光回数に対応する関係式またはテーブルデータをメモリ１７から取得し、以後はその関係式またはテーブルデータに基づいて色温度の補正量を演算する。
【００４０】
実施形態２では、照明装置３０の色温度の補正量を求める関係式またはテーブルデータを、発光回数毎にメモリ３４に記憶しておく。また、照明装置３０のＭＣＵ３３では、発光部３１で発光が行われる毎に発光回数をカウントする処理を実行し、発光回数をメモリ３４に記憶する。そして、照明装置３０の周囲温度をカメラ４０に送信する際に、上記のような発光回数に対応する関係式またはテーブルデータを同時に送信する。これにより、カメラ４０のＭＣＵ４４は、照明装置３０から受信した周囲温度と、発光回数に対応する関係式またはテーブルデータとに基づいて色温度の補正量を演算する。なお、発光回数に対応する関係式またはテーブルデータは、カメラ４０のメモリ４６に記憶してもよい。
【００４１】
なお、本実施形態においては、発光部の発光回数を、予備発光と本発光とを含めた回数とするが、本発光の回数のみを発光回数としてもよい。
【００４２】
上記実施形態３によれば、照明装置の周囲温度だけでなく、発光部の劣化度をも考慮して色温度の補正量を演算するようにしたので、より正確な色温度の補正量を求めることができる。このため、長期間に亘って適正なホワイトバランスの調整を行うことが可能となる。また、劣化度として発光部の発光回数を検出するようにしたので、発光部の劣化度を簡単かつ正確に検出することができる。
（変形形態）
【００４３】
以上説明した実施形態に限定されることなく、本発明は以下に示すような種々の変形や変更が可能であり、それらも本発明の範囲内である。
（１）実施形態１、２において、所定の時間間隔で照明装置の周囲温度を検出してメモリに記憶しておき、フラッシュ撮影が行われたときは、前記メモリに記憶している周囲温度を用いて色温度の補正量を演算するようにしてもよい。このように、定期的に周囲温度を検出してメモリに記憶しておくことにより、フラッシュ撮影後において色温度の補正量の演算時間を短縮することができる。とくに、連続してフラッシュ撮影が行われた場合には、メモリに記憶している前回検出した周囲温度を用いて色温度の補正量を演算することにより、色温度の補正量の演算時間を大幅に短縮することができる。
（２）実施形態２では、照明装置３０のＭＣＵ３３において、温度検出部３５で検出した周囲温度に基づいて色温度の補正量を演算する処理を行うようにしてもよい。この場合は、周囲温度に関する情報として、照明装置３０側で演算した色温度の補正量をカメラ４０に送信する。このような構成とすることにより、カメラ４０のＭＣＵ４４における演算処理の負担を軽減することができる。
（３）実施形態３では、発光回数として、予備発光と本発光とを含めた回数としたが、照明装置がセルフタイマー表示やＡＦ補助光、あるいは赤目軽減のための補助光を照射する機能を備えている場合は、これらの発光を発光回数に含めるようにしてもよい。これにより、発光部の劣化度をより正確に把握することができる。また、発光部の劣化度として、発光部の総発光時間をＭＣＵで計時するようにしてもよい。この場合は、総発光時間に予備発光時間と本発光時間とを含めるが、照明装置がセルフタイマー表示やＡＦ補助光、あるいは赤目軽減のための補助光を照射する機能を備えている場合は、これらの発光時間を総発光時間に含めるようにしてもよい。これにより、発光部の劣化度をより正確に把握することができる。
（４）上記実施形態では、光源としてキセノン管を用いた照明装置について説明したが、本発明はこれに限定されない。例えば、照明装置の光源として互いに異なる色を発光する複数の発光ダイオードを用いて、色温度の補正量を発光ダイオード毎に演算するようにしてもよい。
（５）上記実施形態では、撮像装置としてカメラを例として説明したが、本発明はこれに限らず、フラッシュ機能を有するカメラ付き携帯電話、ビデオカメラ等の他の撮像装置であってもよい。
【００４４】
また、上記実施形態及び変形形態は適宜に組み合わせて用いることができるが、各実施形態の構成は図示と説明により明らかであるため、詳細な説明を省略する。さらに、本発明は以上説明した実施形態によって限定されることはない。
【符号の説明】
【００４５】
１，４０：カメラ、１１，４１：撮像部、１２，４２：画像データ処理部、１３，４３：記録部、１４，３３，４４：ＭＣＵ、１５，３０：照明装置、１６，４５：操作部、１７，３４，４６：メモリ、１８，３５：温度検出部、２０：カメラシステム、３５，４７：通信部
【図１】
2010193001.tif 000003
【図２】
2010193001.tif 000004
【図３】
2010193001.tif 000005
【図４】
2010193001.tif 000006
【図５】
2010193001.tif 000007
【図６】
2010193001.tif 000008
【図７】
2010193001.tif 000009
【図８】
2010193001.tif 000010
【図９】
2010193001.tif 000011